(57)【特許請求の範囲】
【請求項１】
筆記具躯体にノック(５０)の操作により筆芯(１０)のチップ(１１)が躯体先端部(３０)のチップ出没孔(２０)に出没する筆記具を構成するにおいて、躯体先端部(３０)の内部に耐化学性ながら伸縮製と収縮性の良好な合成ゴム等から成るチップ保護具(２００)を設置するが、上記チップ保護具(２００)は躯体先端部(３０)内部の下部に嵌まり、その上面にチップ(１１)の先端がシールできるようサポートするヘッド部(２０１)と、上記ヘッド部(２０１)の底面には躯体先端部(３０)のチップ出没孔(２０)を介して外部に露出される引抜取っ手部(２０２)からなることを特徴とするチップ保護具を具備した出没式筆記具。
【請求項２】
チップ保護具(２００)のヘッド部(２０１)は上部より下部が若干狭い形態で形成されたことを特徴とする
請求項１記載のチップ保護具を具備した出没式筆記具。
【請求項３】
チップ保護具(２００)のヘッド部(２０１)の外周面に引抜除去の時、収縮のための溝線(２０２)を形成することを特徴とする
請求項１記載のチップ保護具を具備した出没式筆記具。
【発明の詳細な説明】
【０００１】
【発明の属する技術分野】
本発明は、チップ保護具を具備した出没式筆記具、より詳細には、筆記具躯体の躯体先端部にチップ保護具を装着して商品の流通過程におけるチップ先端のインキ乾燥防止と、チップ側に衝撃が加えられた場合のチップの損傷防止と筆記具の最初使用時にチップ保護具の除去を容易にするチップ保護具を具備した出没式筆記具に関するものである。
【０００２】
【従来の技術】
一般に、水性インキを使用する出没式筆記具の躯体に装着された筆芯は躯体先端部に開放した筆芯出没孔を介して常にチップが大気中に露出している状態なので商品の流通過程で長期間露出し、チップ先端のインキが乾燥し、需要者が使用したいときはよく転写せず使用できなくなる場合が結構あった。
【０００３】
したがって、最近はチップのインキ乾燥防止のため、硬化剤を混合したワックスを加熱溶融した溶融液に筆芯１０のチップ１１の先端部をディッピン作業により図１のごとくドロップ状のチップ保護具２０をコーティングした。
【０００４】
このような構成は、チップ１１の先端部を溶融液にディッピン作業時に、チップ１１は溶融液に漬けてから取り出す間加熱され、その熱によりチップ１１内部のインキが変質する恐れがある。この時、チップ１１は加熱により内径が拡大されながらその先端のボール１２が離脱する場合がある。それ故に、コーティング形態として被覆されたチップ保護具２０は粘着力が比較的強い状態に粘着されチップ先端をシールしていながらチップ保護具２０を除去する過程でボール１２と共に除去されチップが損傷するという問題点があった。
【０００５】
他のチップ保護具は、図２のごとく筆記具躯体の躯体先端部３０の内部に合成ゴム製からなる円板状のチップ保護具２０をパッド形式に装着したもの(本願出願人が先登録した実用新案登録第１７２４８６号)が紹介されている。
【０００６】
このような構成は、筆芯の装着の際、その先端のチップ１１が伸縮性のあるチップ保護具２０に入り込みながらチップ先端がシールするようになっており、インキの乾燥防止とチップの破損防止には問題はなかった。
【０００７】
しかしながら、円板状なので躯体先端部３０内に水平に装着する作業に手間がかかり、また需要者が最初使用のためチップ保護具２０を除去する時には、筆記具躯体の躯体先端部３０を分解し、その内部に装着されたチップ保護具２０を除去しなければならないという不便さがあった。
【０００８】
特に、躯体先端部３０を分解するときにその内部の筆芯１０を弾持するスプリング４０が予測できない方向に飛んでいってしまい紛失する場合がよくあり、筆記具の使用に重大な問題点を起こすこともある。
【０００９】
【発明が解決しようとする課題】
本発明は、上記のような従来の問題点を解決するために、筆記具躯体のチップ出没口に耐化学性と伸縮性の良好な材質でインキの乾燥防止およびチップ先端の保護のためのチップ保護具と筆記具躯体の線軸を分解せずにチップ保護具を除去することができる引抜除去手段を提供することを課題とする。
【００１０】
【課題を解決するための手段】
本発明は、躯体先端部３０の内部に耐化学性ながら伸縮性と収縮性の良好な合成ゴム等から成るチップ保護具２００を設置するが、上記チップ保護具２００は躯体先端部３０内部の下部に嵌まり、その上面にチップ１１の先端がシールできるようにサポートするヘッド部２０１と、上記ヘッド部２０１の底面には躯体先端部３０のチップ出没孔２０を介して外部に露出される引抜取っ手部２０２からなる。好ましくは、チップ保護具２００のヘッド部２０１は上部より下部が若干狭い形態に形成される。
【００１１】
【発明の実施の形態】
本発明の実施の形態を図１に依拠して説明する。図３と図４のごとく、ノック５０の操作により筆芯１０のチップ１１が躯体先端部３０のチップ出没孔２０に出没する筆記具において、上記躯体先端部３０の内部に耐化学性なから伸縮性と収縮性の良好な合成ゴム等から成るチップ保護具２００を設置するが、上記チップ保護具２００は躯体先端部３０内部の下部に嵌まり、その上面にチップ１１の先端が押入されシールできるようサポートし、底面周には係止２０３が形成されたヘッド部２０と、上記ヘッド部２０１の底面の中央に一体に突出され躯体先端部３０のチップ出没孔２０を貫通させて露出される引抜用取っ手部２０２からなることを特徴とする。
【００１２】
図中４０は、筆芯１０の復帰スプリングである。本発明の実施におけるヘッド部２０１は、図５のごとく上部が広く、下部が若干狭い形態に形成し、躯体先端部３０内の装着状態をさらに安定させることができる。ヘッド部２０１の周りは図６のごとく溝線２０４を形成して強制に引抜するときに収縮がスムーズにすることができる。
【００１３】
以上のような本発明の使用は、先ず躯体先端部３０の内部にチップ保護具２００を装着する。
【００１４】
この場合、引抜用取っ手部２０２は躯体先端部３０のチップ出没孔２０を貫通して露出されるようにし、ヘッド部２０１は躯体先端部３０内部の下部に嵌まり、その底面周の受け座２０３は躯体先端部３０内部の底面にかかって容易に抜け出さないようになる。
【００１５】
このような状態の躯体先端部３０をスプリング４０と筆芯１０が具備された筆記具躯体に結合する。この時、筆芯１０は圧迫され、その先端のチップ１１はチップ保護具２００のヘッド部２０１の上面に圧入されシールされた状態で商品化される。
【００１６】
需要者が筆記具を購入して使用したい時は、チップ出没孔２０に露出されている引抜用取っ手２０２を取って反強制的に引くと伸縮性と収縮性のよいヘッド部２０１が収縮されながらチップ出没孔２０を介して引抜により除去してから使用することになる。
【００１７】
【発明の効果】
以上のように、躯体先端部にヘッド部２０１と引抜取っ手部２０２が具備されたチップ保護具２００が装着された本発明の筆記具は、筆芯のチップ先端がヘッド部２０１によりシールされてチップ先端のインキの乾燥が阻止されながら衝撃による損傷を防止することができ、また最初筆記具の使用時には露出された引抜取っ手２０２を引いてチップ保護具２００を簡単に除去することができるので従来のように躯体先端部を分解結合する不便さを解消する効果がある。なお、流通過程で躯体先端部の先端部に衝撃が加えられる場合、その先端には引抜取っ手部２０２が露出されており、衝撃から保護される効果がある。
【図面の簡単な説明】
【図１】  従来筆記具のチップ保護具の例示断面図である。
【図２】  従来筆記具のチップ保護具の例示断面図である。
【図３】  本発明全体構成の一部を切開した例示図である。
【図４】  本発明の要部を例示した拡大断面図である。
【図５】  本発明の要部であるチップ保護具の他の実施例示図である。
【図６】  本発明の要部であるチップ保護具の他の実施例示図である。
【符号の説明】
２００…チップ保護具
２０１…ヘッド部
２０２…引抜取っ手部
２０３…係止
２０４…溝線
【図１】
0004709373.tif 000002
【図２】
0004709373.tif 000003
【図３】
0004709373.tif 000004
【図４】
0004709373.tif 000005
【図５】
0004709373.tif 000006
【図６】
0004709373.tif 000007